【事件の表示】
　特願２０００−１１９１２０「ドラム表示装置」拒絶査定不服審判事件〔平成１３年１０月３０日出願公開、特開２００１−３０００５２〕について、次のとおり審決する。
【結　論】
　本件審判の請求は、成り立たない。
【理　由】
１．手続の経緯
　本願は、平成１２年４月２０日の出願であって、平成１５年１１月５日付けの最後の拒絶理由に対して、平成１６年１月１３日付けで手続補正がなされ、平成１６年２月１７日付けで、平成１６年１月１３日付けの手続補正を却下するとともに拒絶査定がなされ、これに対し、平成１６年３月２５日に拒絶査定に対する審判請求がなされるとともに、平成１６年４月２３日付けで手続補正がなされたものである。
　　　　　　　　　　　　　　　　　　　　　　　　　　　　　　　　　
２．平成１６年４月２３日付けの手続補正（以下、「本件補正」という。）について
　　　　　　　　　　　　　　　　　　　　　　　　　　　　　　　　　
［補正却下の決定の結論］　
　平成１６年４月２３日付けの手続補正を却下する。
　　　　　　　　　　　　　　　　　　　　　　　　　　　　　　　　　
［理由］
　本件補正により、特許請求の範囲の請求項１は、
「周面に複数の図柄を有したドラムを制御手段の制御によって回転・停止させることにより、所定の表示領域にこれら複数の図柄を可変表示するようにしたドラム表示装置において、
　前記表示領域に、表面にオールマイティを意味する補助図柄を有し、前記図柄を複数覆い隠すことのできる半円弧状の可動部材を前記制御手段の制御によって出没可能に配設した複数のドラムを、互いに軸心を合致させ、かつ相互に近接させた状態で収納ケースに収納し、前記複数のドラムを相互に連結する結束板を設けたことを特徴とするドラム表示装置。」と補正された。
　　　　　　　　　　　　　　　　　　　　　　　　　　　　　　　　　
　上記補正は、請求項１に記載した発明を特定するために必要な事項である「ドラムを回転・停止」について、「ドラムを
制御手段の制御によって
表面にオールマイティを意味する補助図柄を有し、前記図柄を複数覆い隠すことのできる半円弧状の
前記制御手段の制御によって
　そこで、本件補正後の前記請求項１に記載された発明（以下、「本願補正発明」という。）が特許出願の際独立して特許を受けることができるものであるか（平成１８年改正前の特許法第１７条の２第５項において準用する同法第１２６条第５項の規定に適合するか）について以下に検討する。
　　　　　　　　　　　　　　　　　　　　　　　　　　　　　　　　　
（１）引用発明
引用刊行物一覧
　１．特開平１１−１１４１６４号公報　　　　　　　　　　　　　　　
　２．特開平　５−１５１９６号公報　　　　　　　　　　　　　　　　
　３．特開平１１−９７６３号公報　（参考例）　　　　　　　　　　　
　原査定の拒絶の理由に引用された、本願の出願前に頒布された刊行物である上記の各刊行物（刊行物１〜３）には、それぞれ次の発明が記載されている。
　　　　　　　　　　　　　　　　　　　　　　　　　　　　　　　　　
（１-1)　特開平１１−１１４１６４号公報
　特開平１１−１１４１６４号公報（以下、「引用例1」という。）には、「遊技機」に関して以下の記載がある。
1-a「・・・遊技領域３のほぼ中央には、可変表示部３０ａ〜３０ｃで個々に左・中・右の特別図柄を可変表示（以下、これを変動ともいう）する可変表示装置３０が配置されている。・・・」（段落【００１０】）
1-b 「次に、可変表示装置３０を構成する回転ドラム機構４０・・・は、・・・各可変表示部３０ａ〜３０ｃを構成する左・中・右の回転ドラム４１〜４３と、該回転ドラム４１〜４３の外周で個々に回転可能に設けられる左・中・右の表示体４４〜４６と、左側の回転ドラム４１及び表示体４４、中央の回転ドラム４２及び表示体４５、右側の回転ドラム４３及び表示体４６、を個々に取り付けるドラム取付基板４７〜４９と、該ドラム取付基板４７〜４９を並列状態に収納して遊技盤１の裏面にビス止めされるドラム筐体５０、を備えている。回転ドラム４１〜４３の外周面には、・・・それぞれ所定配列で複数の特別図柄・・・が描かれており、そのうちの３つの図柄が窓開口３２から視認できるようになっている。これに対して、表示体４４〜４６は、・・・各回転ドラム４１〜４３が表示する３つの図柄のうち１図柄分を前方から被覆し得る大きさに形成され、その外面にはキャラクタ図柄が描かれている。ドラム取付基板４７〜４９には、回転ドラム４１〜４３の駆動源となるモータ５１と、表示体４４〜４６の駆動源となるモータ５２と、・・・がそれぞれ設けられている。」（段落【００１６】）
1-c「以上、可変表示装置３０を含む弾球遊技機の遊技盤１の構成について説明してきたが、それらの遊技装置は、・・・遊技制御回路によって制御される。・・・」（段落【００１７】）
1-d「一方、表示体４４〜４６に付されたキャラクタ図柄は、リーチ変動時及びリーチ予告時にそれぞれ以下に示す態様で変動制御される。・・・左・中・右の表示体４４〜４６（キャラクタ図柄）は、それぞれ横一列に並んだ状態で回転が制御されると共に、通常時、可変表示装置３０の裏面側（回転ドラム４１〜４３の後方位置）に回転され、遊技者側から視認できない位置に停止されるようになっている。・・・」（段落【００２１】）
1-e「以上のように、本実施形態に係る可変表示装置３０は、特定遊技状態の発生に関与する特別図柄が付された回転ドラム４１〜４３と、特定遊技状態の発生に関与しないキャラクタ図柄が付された表示体４４〜４６と、を備え、回転ドラム４１〜４３と表示体４４〜４６を個々に作動制御するようになっている。・・・」（段落【００２３】）
1-f「・・・表示体４４〜４６は、リーチ表示の態様に応じて作動する・・・また、表示体４４〜４６の動作によってリーチ表示となることを予告的に報知する・・・また、表示体４４〜４６は、回転ドラム４１〜４３に対して重畳表示される・・・装飾情報をキャラクタ図柄とすることで、遊技を楽しく盛り上げる構成となっているが、必ずしも装飾情報をキャラクタ図柄にする必要はなく、文字やオールマイティ図柄等を装飾情報としてもよい。・・・」（段落【００２４】）
　　　　　　　　　　　　　　　　　　　　　　　　　　　　　　　　　
　上記の記載によれば、引用例１（特開平１１−１１４１６４号公報）には次の発明（以下、「引用発明１」という）が記載されていると認められる。
　「遊技領域３のほぼ中央に、可変表示部３０ａ〜３０ｃで個々に左・中・右の特別図柄を可変表示（以下、これを変動ともいう）する可変表示装置３０が配置され、可変表示装置３０は遊技制御回路によって制御され、該可変表示装置３０を構成する回転ドラム機構４０は、各可変表示部３０ａ〜３０ｃを構成する左・中・右の回転ドラム４１〜４３と、該回転ドラム４１〜４３の外周で個々に回転可能に設けられる左・中・右の表示体４４〜４６と、左側の回転ドラム４１及び表示体４４、中央の回転ドラム４２及び表示体４５、右側の回転ドラム４３及び表示体４６、を個々に取り付けるドラム取付基板４７〜４９と、該ドラム取付基板４７〜４９を並列状態に収納して遊技盤１の裏面にビス止めされるドラム筐体５０を備え、回転ドラム４１〜４３の外周面には、それぞれ所定配列で複数の特別図柄が描かれており、そのうちの３つの図柄が窓開口３２から視認できるようになっており、表示体４４〜４６は、各回転ドラム４１〜４３が表示する３つの図柄のうち１図柄分を前方から被覆し得る大きさに形成され、その外面にはキャラクタ図柄が描かれ、ドラム取付基板４７〜４９には、回転ドラム４１〜４３の駆動源となるモータ５１と、表示体４４〜４６の駆動源となるモータ５２とがそれぞれ設けられ、左・中・右の表示体４４〜４６（キャラクタ図柄）は、通常時は可変表示装置３０の裏面側（回転ドラム４１〜４３の後方位置）に回転されて、遊技者側から視認できない位置に停止されるようになっており、リーチ変動時及びリーチ予告時に回転ドラム４１〜４３に対して重畳表示され、それぞれ横一列に並んだ状態で回転が制御され、装飾情報をキャラクタ図柄とすることで、遊技を楽しく盛り上げる構成となっているが、必ずしも装飾情報をキャラクタ図柄にする必要はなく、文字やオールマイティ図柄等を装飾情報としてもよい、遊技機。」
　　　　　　　　　　　　　　　　　　　　　　　　　　　　　　　　　
（１-2）特開平５−１５１９６号公報
　特開平５−１５１９６号公報（以下、「引用例２」という。）には、「モータ駆動回路」に関して以下の記載がある。　
2-a「図１は、本発明に係るモータ駆動回路を用いた遊技機の一例のパチンコ遊技機・・・遊技盤１の遊技領域２内には、複数種類の図柄が可変表示可能な回転ドラムからなる可変表示装置３が設けられている。・・・」（段落【００１２】）
2-b「可変表示装置３には、左図柄表示部４ａ、中図柄表示部４ｂ、右図柄表示部４ｃが設けられている。各図柄表示部４ａ〜４ｃは、それぞれ３段の図柄を表示可能である。・・・」（段落【００１４】）
2-c「図２は、可変表示装置３の左、中、右図柄表示部４ａ〜４ｃに図柄を表示するためのドラムが組込まれているドラムユニット１８の分解斜視図である。図２を参照して、ドラムユニット１８は、箱型のユニットケース３０と、ユニットケース３０の開口部に並んで組付けられた左ドラムユニット１９ａ、中ドラムユニット１９ｂ、右ドラムユニット１９ｃとを含む。図２においては、左ドラムユニット１９ａのみが取外されて示されている。
　左ドラムユニット１９ａは、金属板からなるモータ取付板２０ａと、モータ取付板２０ａに取付けられ、位置センサを内蔵したステッピングモータ２１ａと、ステッピングモータ２１ａのモータ軸２２ａに固定されたリール２３ａと、リール２３ａの周囲に１リール当り１５個取付けられ、各々に図柄が描かれている図柄表示板２４ａとを含む。図２には示されていないが、中ドラムユニット１９ｂ、右ドラムユニット１９ｃにも、同様にステッピングモータ２１ｂなどが組込まれている。
　ユニットケース３０の背面には、金属製のユニット取付板２９を介して中継端子板２７がねじ止されている。ユニット取付板２９およびモータ取付板２０ａなどが金属製であることにより、ユニットの放熱効果が高められている。つまり、モータ２１ａから発生する熱モータ取付板２０ａを介してユニット取付板２９に伝え、ユニット取付板２９の熱を外部に放出するように構成されている。・・・」（段落【００１７】−【００１９】）
　　　　　　　　　　　　　　　　　　　　　　　　　　　　　　　　　
　上記の記載によれば、引用例２（特開平５−１５１９６号公報）には以下の発明（以下、「引用発明２」という）が記載されていると認められる。　「遊技盤１の遊技領域２内に、複数種類の図柄が可変表示可能な回転ドラムからなる可変表示装置３が設けられ、可変表示装置３には、左図柄表示部４ａ、中図柄表示部４ｂ、右図柄表示部４ｃが設けられ、該可変表示装置３の左、中、右図柄表示部４ａ〜４ｃに図柄を表示するためのドラムが組込まれているドラムユニット１８は、箱型のユニットケース３０と、ユニットケース３０の開口部に並んで組付けられた左ドラムユニット１９ａ、中ドラムユニット１９ｂ、右ドラムユニット１９ｃとを含み、左ドラムユニット１９ａは、金属板からなるモータ取付板２０ａと、モータ取付板２０ａに取付けられ、位置センサを内蔵したステッピングモータ２１ａと、ステッピングモータ２１ａのモータ軸２２ａに固定されたリール２３ａと、リール２３ａの周囲に１リール当り１５個取付けられ、各々に図柄が描かれている図柄表示板２４ａとを含み、中ドラムユニット１９ｂ、右ドラムユニット１９ｃにも、同様にステッピングモータ２１ｂなどが組込まれており、ユニットケース３０の背面には、金属製のユニット取付板２９を介して中継端子板２７がねじ止され、ユニット取付板２９およびモータ取付板２０ａなどが金属製であることにより、ユニットの放熱効果が高められ、モータ２１ａから発生する熱をモータ取付板２０ａを介してユニット取付板２９に伝え、ユニット取付板２９の熱を外部に放出するように構成されている。パチンコ遊技機のモータ駆動回路。」
　　　　　　　　　　　　　　　　　　　　　　　　　　　　　　　　　
(１-3)　特開平１１−９７６３号公報（参考例）
　特開平１１−９７６３号公報（参考例）には、「遊技機のリール装置」に関して以下の記載がある。
3-a「図１は、本実施形態に係る遊技機のリール装置を示す斜視図であり、図２は、該リール装置が組み込まれたスロットマシン（遊技機）を示す斜視図である。図１に示すように、上記リール装置１０は、３つのリール１２Ａ、１２Ｂ、１２Ｃを備えてなっている。これら３つのリール１２Ａ、１２Ｂ、１２Ｃは、リール支持ブラケット１４に各々独立して回転可能に支持されており、その回転軸線Ａｘ１は同一軸線上に設定されている。これら各リール１２Ａ、１２Ｂ、１２Ｃの周面上には、複数の図柄Ｆが周方向に直列に形成されている。」（段落【００１０】）
3-b「・・・各リール１２Ａ、１２Ｂ、１２Ｃは、上記複数の図柄Ｆのうち１つの図柄をリールガラス１０８に形成された３つの表示窓１０８ａに一致させるようにして回転を停止するようになっている。・・・」（段落【００１２】）
3-c「・・・３つのリール１２Ａ、１２Ｂ、１２Ｃのうち最後に停止する中央のリール１２Ｂが、その図柄Ｆｏを表示窓１０８ａに一致させるようにして停止する瞬間・・・中央のリール１２Ｂ前方の表示窓１０８ａに、・・・オバケの図柄Ｆｏ′が上方から現れて微小振動した後停止する演出がなされるようになっている。」（段落【００１５】）
3-d「上記カバー部材１６は、円弧状の側断面形状を有する略矩形の板状部材からなり、中央のリール１２Ｂの前方において、表示窓１０８ａの位置（設定角度位置）と、その上方の退避位置とを取り得るように構成されている。そして、これを実現するため、カバー部材１６は、その左右両端部において左右１対の回動レバー１８の先端部に固定されている。」（段落【００１７】）
3-e「次に、本発明の第２実施形態について説明する。
　・・・
　本実施形態に係るリール装置１０は、３つのリール１２Ａ、１２Ｂ、１２Ｃおよびカバー部材１６の構成については第１実施形態と同様であるが、回動レバー１８の構成・・・が第１実施形態と異なっている。すなわち、本実施形態においても、中央のリール１２Ｂの両側に１対の回動レバー１８が設けられているが、これら各回動レバー１８は剛性を有する樹脂製部材からなり、その回動軸線Ａｘ２は各リール１２Ａ、１２Ｂ、１２Ｃの回転軸線Ａｘ１と同一軸線上に設定されている。」（段落【００２５】【００２６】）
3-f  図１には、「リール１２Ａ」、「リール１２Ｃ」及び「カバー部材１６」を取り付けた「リール１２Ｂ」のそれぞれは、「リール支持ブラケット１４」とともに垂直の板状体にねじ止めして固定していることが見てとれる。
　　　　　　　　　　　　　　　　　　　　　　　　　　　　　　　　　
　上記の記載によれば、参考例（特開平１１−９７６３号公報）には以下の発明（以下、「参考発明」という）が記載されていると認められる。
　「スロットマシン（遊技機）のリール装置１０は、３つのリール１２Ａ、１２Ｂ、１２Ｃを備えており、これら３つのリール１２Ａ、１２Ｂ、１２Ｃはリール支持ブラケット１４に各々独立して回転可能に支持されており、その回転軸線Ａｘ１は同一軸線上に設定されており、これら各リール１２Ａ、１２Ｂ、１２Ｃの周面上には、複数の図柄Ｆが周方向に直列に形成され、各リール１２Ａ、１２Ｂ、１２Ｃは、上記複数の図柄Ｆのうち１つの図柄をリールガラス１０８に形成された３つの表示窓１０８ａに一致させるようにして回転を停止するようになっており、３つのリール１２Ａ、１２Ｂ、１２Ｃのうち最後に停止する中央のリール１２Ｂが、その図柄Ｆｏを表示窓１０８ａに一致させるようにして停止する瞬間、中央のリール１２Ｂ前方の表示窓１０８ａにオバケの図柄Ｆｏ′が上方から現れて微小振動した後停止する演出がなされるようになっていて、上記カバー部材１６はその左右両端部において左右１対の回動レバー１８の先端部に固定され、円弧状の側断面形状を有する略矩形の板状部材からなり、中央のリール１２Ｂの前方において、表示窓１０８ａの位置（設定角度位置）と、その上方の退避位置とを取り得るように構成され、上記各回動レバー１８の基端部は、上記中央のリール１２Ｂの後方近傍において上記リール支持ブラケット１４に固定されたモータ２０に連結されており、上記各回動レバー１８は、モータ２０の駆動により、各リール１２Ａ、１２Ｂ、１２Ｃの回転軸線Ａｘ１と同一軸線上に設定されている回動軸線Ａｘ２回りに回動して、その先端部に固定されたカバー部材１６の、上記表示窓１０８ａの位置および退避位置間における移動を行わせるようになっており、リール１２Ａ、リール１２Ｃ及びカバー部材１６を取り付けたリール１２Ｂのそれぞれを、リール支持ブラケット１４とともに垂直の板状体にねじ止めして固定した、遊技機のリール装置。」
　　　　　　　　　　　　　　　　　　　　　　　　　　　　　　　　　
（２）対比 　 　 
　本願補正発明と引用発明１とを対比すると、引用発明１における「回転ドラム４１〜４３」は本願補正発明における「ドラム」に対応しており、同様に、「（回転ドラム４１〜４３の）外周面」は「（ドラムの）周面」に、「特別図柄」は「図柄」に、「ドラム筐体５０」は「収納ケース」に、それぞれ対応しており、さらに引用発明１について次のことがいえる。
　　　　　　　　　　　　　　　　　　　　　　　　　　　　　　　　　
(i) 引用発明１は、「回転ドラム４１〜４３の外周面には、それぞれ所定配列で複数の特別図柄が描かれ」（摘示1-b）ており、当該構成は、本願補正発明における「周面に複数の図柄を有したドラム」に対応している。
　また引用発明１における上記「回転ドラム４１〜４３」は、「可変表示装置３０」を「構成」（摘示1-b）していて可変表示を行い、「可変表示装置３０は遊技制御回路によって制御され」（摘示1-c）るものであるから、同引用発明１は、「回転ドラム４１〜４３」の回転・停止を制御する制御手段を備えているといえる。
　そして、引用発明１における上記「回転ドラム４１〜４３」に「描かれ」た上記「特別図柄」のうちの「３つの図柄が窓開口３２から視認できるようになって」（摘示1-b）おり、上記「窓開口３２」は、その機能に照らすと、本願補正発明における「表示領域」に対応するものである。
　以上を総合すると、引用発明１における「可変表示装置３０」は本願補正発明における「ドラム表示装置」に対応するものであるといえるとともに、同引用発明１は、本願補正発明を特定する「周面に複数の図柄を有したドラムを制御手段の制御によって回転・停止させることにより、所定の表示領域にこれら複数の図柄を可変表示するようにしたドラム表示装置」の事項に対応する構成を備えているといえる。
　　　　　　　　　　　　　　　　　　　　　　　　　　　　　　　　　
(ii) 引用発明１は、「回転ドラム４１〜４３の外周で個々に回転可能に設けられる左・中・右の表示体４４〜４６」（摘示1-b）を備え、「表示体４４〜４６は、各回転ドラム４１〜４３が表示する３つの図柄のうち１図柄分を前方から被覆し得る大きさに形成され」（摘示1-b）ており、「通常時は可変表示装置３０の裏面側（回転ドラム４１〜４３の後方位置）に回転されて、遊技者側から視認できない位置に停止され、リーチ変動時及びリーチ予告時に回転ドラム４１〜４３に対して重畳表示され」（摘示1-d、1-f）るものであり、該「表示体４４〜４６」には、「オールマイティ図柄等を装飾情報として」（摘示1-f）表示してもよいものである。
　ここで、下記に周知技術（周知例１ないし３）として示すように、一般に「オールマイティ図柄」は、当該技術分野において周知の技術的概念であって、その技術的意義も十分に確立しており、可変表示動作中に出現したときに該「オールマイティ図柄」が有する遊技上の価値も遊技者が熟知するところであるから、引用発明１における「オールマイティ図柄」は、オールマイティを意味する「装飾情報」であることが明らかであり、本願補正発明における「オールマイティを意味する補助図柄」に対応するものであるといえる。
　また引用発明１における上記「オールマイティ図柄」を表示した「表示体４４〜４６」は、「可変表示装置３０の裏面側（回転ドラム４１〜４３の後方位置）」と、「回転ドラム４１〜４３に対して重畳表示され」る位置とにわたって「回転ドラム４１〜４３の外周で個々に回転可能に設け」られていることから、「窓開口３２」（本願補正発明における「表示領域」に対応する。）に対して出没可能に、上記「回転ドラム４１〜４３」に配設されているということができ、さらに引用例１の図４等を参照すると、半円弧状の可動部材であることが見てとれる。上記「表示体４４〜４６」の「駆動源となるモータ５２」の回転制御は、「回転ドラム４１〜４３の駆動源となるモータ５１」の駆動制御と同様に、上記(i)に記載した、引用発明１が実質上備える制御手段によって制御されるものである。
　そして、引用例１の図２〜４から明らかなように、「回転ドラム４１〜４３」は互いに軸心を合致させ、かつ相互に近接させた状態で「ドラム筐体５０」（本願補正発明における「収納ケース」に対応する。）に「収納」されている。
　以上を総合すると、引用発明１は、本願補正発明を特定する「前記表示領域に、表面にオールマイティを意味する補助図柄を有し、前記図柄を覆い隠すことのできる半円弧状の可動部材を前記制御手段の制御によって出没可能に配設した複数のドラムを、互いに軸心を合致させ、かつ相互に近接させた状態で収納ケースに収納し」の事項に対応する構成を備えている。
　　　　　　　　　　　　　　　　　　　　　　　　　　　　　　　　　
　以上の事項より、本願補正発明と引用発明１とは以下の点で一致し、また、相違していると認められる。
一致点；
　周面に複数の図柄を有したドラムを制御手段の制御によって回転・停止させることにより、所定の表示領域にこれら複数の図柄を可変表示するようにしたドラム表示装置において、前記表示領域に、表面にオールマイティを意味する補助図柄を有し、前記図柄を覆い隠すことのできる半円弧状の可動部材を前記制御手段の制御によって出没可能に配設した複数のドラムを、互いに軸心を合致させ、かつ相互に近接させた状態で収納ケースに収納したドラム表示装置、である点。
　　　　　　　　　　　　　　　　　　　　　　　　　　　　　　　　　
相違点；                             
(A) 可動部材が覆い隠すことのできるオールマイティを意味する図柄が、本願補正発明では複数の図柄であるのに対して、引用発明１では１図柄分である点。
(B) 本願補正発明は、複数のドラムを相互に連結する結束板を設けたのに対して、引用発明１は、複数の回転ドラムを相互に連結する結束板を設けたものではない点。　　　　　　　　　　　　　　　　　　　　　　　　　
　　　　　　　　　　　　　　　　　　　　　　　　　　　　　　　　　
（３）判断
　上記の相違点について検討する。
　相違点(A)について
　可変表示させる図柄に混在して設けるオールマイティ図柄を、一つの図柄列に複数設けることは下記に周知例１ないし３として例示するように周知技術である。
　そうすると、上記の周知技術を参酌して、引用発明１における、「オールマイティ図柄」を表示可能な、「１図柄分」の「大きさに形成され」た「表示体４４〜４６」を、複数図柄分の大きさに形成することは、当業者が適宜になし得る設計事項にすぎない。
　　　　　　　　　　　　　　　　　　　　　　　　　　　　　　　　　
　相違点(B)について
　引用発明２は、「左ドラムユニット１９ａ、中ドラムユニット１９ｂ、右ドラムユニット１９ｃ」が「箱型のユニットケース３０」に「並んで組付けられ」るとともに、「ユニットケース３０の背面」に、「ユニット取付板２９を介して中継端子板２７がねじ止され」たパチンコ遊技機を開示している。
　上記した各「ドラムユニット１９ａ〜１９ｃ」はそれぞれ、「ステッピングモータ２１ａ〜２１c」、「リール２３ａ〜２３c」等を取り付けた「モータ取付板２０ａ〜２０c」により構成されており、引用例２の図２を参照すると、各「モータ取付板２０ａ〜２０c」が「ユニット取付板２９」に「ねじ止され」ることにより、各「ドラムユニット」が並設方向に固着されていることが見てとれ、上記「ユニット取付板２９」は、その機能に照らすと、複数の「ドラムユニット」を結束することにより、複数のドラムを相互に連結するものであり、実質上、本願補正発明における「結束板」に対応するものといえる。
　さらに、引用発明２において「左ドラムユニット１９ａ、中ドラムユニット１９ｂ、右ドラムユニット１９ｃ」が「組付けられ」る「箱型のユニットケース３０」は、「可変表示装置３の左、中、右図柄表示部４ａ〜４ｃに図柄を表示するためのドラムが組込まれているドラムユニット１８」を構成するものであり、同引用発明２は、本願補正発明を特定する、「複数のドラムを、互いに軸心を合致させ、かつ相互に近接させた状態で収納ケースに収納し、前記複数のドラムを相互に連結する結束板を設けたドラム表示装置」の事項に対応する構成を備えているといえる。
　そして、上記したように、引用発明２は「可変表示装置」の表示ドラムに関する技術である点で引用発明１（本願補正発明）と共通しているから、引用発明１に引用発明２が開示する上記の技術事項を適用して、複数の回転ドラム（回転ドラム４１〜４３）を相互に連結する結束板を設けることは、当業者が容易に想到することができたものである。
　　　　　　　　　　　　　　　　　　　　　　　　　　　　　　　　　
　ところで、引用発明２における「ユニット取付板２９」は、「金属製であることにより、ユニットの放熱効果が高められ」るとされており、審判請求人は、その審判請求書の補充書において、「ユニット取付板２９やモータ取付板２０は、段落［００２４］に記載されるように、ステッピングモータ２１aなどの動作によりモータ回路から発熱する熱を放散させるためのものであって、本願の請求項１に係る発明における結束板とは、その目的が全く相違してい」る旨を主張している。
　そこで検討するに、上記の参考発明は、カバー部材１６を、各リール１２Ａ、１２Ｂ、１２Ｃの回転軸線Ａｘ１と同一軸線上に設定されている回動軸線Ａｘ２回りに回動して、表示窓１０８ａの位置および退避位置間における移動を行わせる遊技機のリール装置において、リール１２Ａ、リール１２Ｃ、及びカバー部材１６を取り付けたリール１２Ｂのそれぞれを、リール支持ブラケット１４とともに垂直の板状体にねじ止めして固定することで、各リールをその並設方向に支持することを開示しており、リール（ドラム）を並設してユニット体（ドラムユニット）を構成する際に、その並設方向への揺動を防止し、安定的な組付けを行うこと、及び安定的な組付けのために各リール（ドラム）のそれぞれを並設方向に支持することは、参考発明に限らず、当業者にとって自明な技術的課題、及びその解決手段であり、さらに一般に、複数の部材を組付けてユニット体を構成する際にも、各部材の並設方向への揺動を防止し、安定的な組付けを行うこと、及び安定的な組付けのために各部材のそれぞれを並設方向に固定した上で収納体に収納することは、例示するまでもなく、当業者にとって自明な技術的課題、及びその解決手段である。
　以上を勘案すると、引用発明２の「ユニット取付板２９」も、各ドラム等を支持する「モータ取付板２０ａ〜２０c」のそれぞれを並設方向に固定することで、上記した自明な技術的課題を解決することを前提とし、さらに加えて「ユニットケース３０の背面」において、「ユニット取付板２９を介して中継端子板２７」に「ねじ止」する等の改変を施すことで「放熱効果」が得られることを図ったものというべきであり、引用発明２の「ユニット取付板２９」は、本願補正発明における「結束板」と目的が相違するものでもなく、また、該「ユニット取付板２９」を「ユニットケース３０の背面」に設けたことが、引用発明２が開示する上記の技術事項を引用発明１に適用する上での阻害要因となるわけでもないから、審判請求人の上記主張には理由がない。
　　　　　　　　　　　　　　　　　　　　　　　　　　　　　　　　　
　そして、相違点(A)及び(B)に係る発明特定事項を備えた本願補正発明の効果も、引用発明１並びに引用発明２及び周知技術から当業者が予測し得る範囲内のものであって、格別顕著なものとはいえない。
　したがって、本願補正発明は、引用発明１並びに引用発明２及び周知技術に基いて、当業者が容易に発明をすることができたものであるから、特許出願の際独立して特許を受けることができない。
 　　　　　　　　　　　　　　　　　　　　　　　　　　　　　　　　　
【周知技術】
１．特開平９−３８２９４号公報
　可変表示部４ａの中央に可変表示される第２図柄配列は「☆，ＡＬＬ，ＡＬＬ，ＡＬＬ，☆，０，１，２，３，４，５，６，ＡＬＬ，８，９，Ａ，Ｂ，Ｃ，Ｄ，Ｅ，ＡＬＬ」の２１通りの図柄が順に循環変動表示される図柄配列になっており、また、可変表示部４ａの右側に可変表示される第３図柄配列は「ＡＬＬ，Ｅ，Ｄ，Ｃ，Ｂ，Ａ，９，８，７，６，５，４，３，２，１，０，☆，ＡＬＬ，ＡＬＬ，ＡＬＬ，☆」の２１通りの図柄が順に循環変動表示される図柄配列になっていて、これら図柄のうち、「ＡＬＬ」の図柄はどのような図柄にも合わせうるオールマイティーの図柄である、遊技機。（段落【００６３】【００６４】、図１４）
　　　　　　　　　　　　　　　　　　　　　　　　　　　　　　　　　
２．特開平１１−９９２５０号公報
　左・中・右の特別図柄表示部４３〜４５のうち図柄を最終停止表示する特別図柄表示部４４には、それ以外の特別図柄表示部４３・４５に停止表示される複数種類のリーチ図柄との間で大当り図柄を構成し得るオールマイティ図柄「Ａ」及び「Ｂ」を設け、左右の図柄はそれぞれ「１〜１２」の１２図柄から構成されており、中図柄は「Ａ」「Ｂ」のオールマイティ図柄を含む計６図柄で構成されている、遊技機。（段落【００２９】【００３０】、図１５）
　　　　　　　　　　　　　　　　　　　　　　　　　　　　　　　　　
３．特開平９−２０１４６０号公報
　特別図柄表示部Ｃは、「０」から「１４」までの一巡が１５図柄からなる三の単位図柄列ｘ1 ，ｘ2 ，ｘ3 が３回繰り返された後に、多機能図柄の一例を構成する「？」からなるオールマイティ図柄ｙが複数個付加された複合図柄列ｚからなり、このオールマイティ図柄「？」ｙは全ての図柄の機能を備えるものであり、特別図柄表示部Ａ，Ｂに表示された図柄が同一である場合に、このオールマイティ図柄「？」ｙが特別図柄表示部Ｃに表示されれば大当りとなる図柄である、パチンコ機。（段落【００１８】【００２５】、図５）
　　　　　　　　　　　　　　　　　　　　　　　　　　　　　　　　　
（４）むすび
　以上のとおり、本件補正は、平成１８年改正前の特許法第１７条の２第５項において準用する同法第１２６条第５項の規定に違反するものであり、特許法第１５９条第１項の規定において読み替えて準用する特許法第５３条第１項の規定により却下されるべきものである。
　　　　　　　　　　　　　　　　　　　　　　　　　　　　　　　　　
３．本願発明について
　平成１６年４月２３日付けの手続補正は上記のとおり却下され、平成１６年１月１３日付けの手続補正は原審において却下されているので、本願の請求項１に係る発明（以下、「本願発明」という。）は、平成１５年１０月３日付け手続補正書の特許請求の範囲の請求項１に記載された事項により特定される、以下のとおりのものである。
「周面に複数の図柄を有したドラムを回転・停止させることにより、所定の表示領域にこれら複数の図柄を可変表示するようにしたドラム表示装置において、前記表示領域に可動部材を出没可能に配設した複数のドラムを、互いに軸心を合致させ、かつ相互に近接させた状態で収納ケースに収納し、前記複数のドラムを相互に連結する結束板を設けたことを特徴とするドラム表示装置。」
　　　　　　　　　　　　　　　　　　　　　　　　　　　　　　　　　
（１）引用例
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明から「制御手段の制御によって」、「前記制御手段の制御によって」及び「表面にオールマイティを意味する補助図柄を有し、前記図柄を複数覆い隠すことのできる半円弧状の」（当該事項は、前記２．（３）で検討したように、周知の事項である。）の限定事項を省き、より広義な概念で特定するものである。
　そうすると、本願補正発明における発明特定事項を全て含み、さらに他の事項を付加したものに相当する本願補正発明が、前記「２．（３）」に記載したとおり、引用発明１並びに引用発明２及び周知技術に基いて、当業者が容易に発明をすることができたものであるから、上記したように、周知の限定事項を省いてより広義な概念で特定される本願発明は、引用発明１及び引用発明２に基いて当業者が容易に発明をすることができたものである。
　　　　　　　　　　　　　　　　　　　　　　　　　　　　　　　　　
（３）むすび
　以上のとおり、本願発明は、引用発明１及び引用発明２に基いて当業者が容易に発明をすることができたものであるから、特許法第２９条第２項の規定により特許を受けることができない。
　よって、本願の他の請求項について論じるまでもなく、結論のとおり審決する。